【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  被検体に照射するためのＸ線を発生するＸ線管と、
前記Ｘ線管に印加するための高電圧を発生する高電圧発生器と、
前記被検体を透過したＸ線を検出するＸ線検出器と、
前記Ｘ線検出器の出力に基づいて、スキャノグラムを生成するスキャノグラム生成部と、
前記Ｘ線検出器の出力に基づいて、画像を再構成する再構成部と、
前記スキャノグラムの２次元部分領域内に含まれる複数画素の画素値に基づいて、前記Ｘ線管の管電流値を決定する管電流決定部と、
前記決定された管電流値に基づいて前記高電圧発生器を制御する制御部とを具備することを特徴とするＸ線コンピュータトモグラフィ装置。
【請求項２】  前記２次元部分領域は、前記Ｘ線管と前記被検体との間に配置されるコリメータのスライス方向開口幅に対応する検出素子列の数と、前記検出素子列各々を構成するチャンネル数とに応じたサイズを有することを特徴とする請求項１記載のＸ線コンピュータトモグラフィ装置。
【請求項３】  前記管電流決定部は、前記２次元部分領域内に含まれる複数画素の画素値の平均値に基づいて、前記Ｘ線管の管電流値を決定することを特徴とする請求項１記載のＸ線コンピュータトモグラフィ装置。
【請求項４】  前記平均値に前記管電流値を関連付けたテーブルを記憶する記憶部をさらに備えることを特徴とする請求項３記載のＸ線コンピュータトモグラフィ装置。
【請求項５】  前記管電流決定部は、前記２次元部分領域内に含まれる複数画素の画素値の最大値又は最小値に基づいて、前記Ｘ線管の管電流値を決定することを特徴とする請求項１記載のＸ線コンピュータトモグラフィ装置。
【請求項６】  前記管電流決定部は、複数の離散的な位置で複数の管電流値を決定し、前記制御部は、前記決定された複数の管電流値に基づいて前記Ｘ線管の管電流を前記被検体の移動に伴って動的に変化させることを特徴とする請求項１記載のＸ線コンピュータトモグラフィ装置。
【請求項７】  前記管電流決定部は、前記複数の離散的な位置の中間位置に対応する管電流値を前記決定した管電流値から補間により求めることを特徴とする請求項６記載のＸ線コンピュータトモグラフィ装置。
【請求項８】  前記再構成部は、ユーザインストラクションに従って前記複数のＸ線検出素子列から選択された２以上のＸ線検出素子列からの出力に基づいて、前記画像を再構成することを特徴とする請求項１記載のＸ線コンピュータトモグラフィ装置。
【請求項９】  前記２次元部分領域は、前記Ｘ線検出素子列各々を構成するチャンネル数と、前記選択されたＸ線検出素子列の数とに応じたサイズを有することを特徴とする請求項８記載のＸ線コンピュータトモグラフィ装置。
【請求項１０】  前記スキャノグラムを、前記２次元部分領域を表すフレームと共に表示する表示部をさらに備えることを特徴とする請求項１記載のＸ線コンピュータトモグラフィ装置。
【請求項１１】  前記フレームのサイズを任意に変えるための入力器をさらに備えることを特徴とする請求項１０記載のＸ線コンピュータトモグラフィ装置。
【請求項１２】  前記フレームの形状を任意に変えるための入力器をさらに備えることを特徴とする請求項１０記載のＸ線コンピュータトモグラフィ装置。
【請求項１３】  被検体に照射するためのＸ線を発生するＸ線管と、
前記Ｘ線管に印加するための高電圧を発生する高電圧発生器と、
前記被検体を透過したＸ線を検出するために複数のＸ線検出素子列を有するＸ線検出器と、
ユーザインストラクションのスライス厚とスライス数とに従って選択された２以上のＸ線検出素子列からの出力に基づいて、画像データを再構成する再構成部と、
前記スライス厚と前記スライス数とに応じた範囲に対応する前記Ｘ線検出器の出力分布、Ｘ線透過率分布又はＸ線減衰率分布に基づいて、前記Ｘ線管の管電流値を決定する管電流決定部と、
前記決定された管電流値に基づいて前記高電圧発生器を制御する制御部とを具備することを特徴とするＸ線コンピュータトモグラフィ装置。
【請求項１４】  被検体に照射するためのＸ線を発生するＸ線管と、
前記Ｘ線管に印加するための高電圧を発生する高電圧発生器と、
前記被検体を透過したＸ線を検出するために複数のＸ線検出素子列を有するＸ線検出器と、
前記Ｘ線検出器の出力に基づいて、画像を再構成する再構成部と、
Ｘ線透過率又は類似する指標に関する前記被検体のスライス方向プロファイルに基づいて前記高電圧発生器を動的に制御する制御部とを具備することを特徴とするＸ線コンピュータトモグラフィ装置。
【請求項１５】  前記制御部は、前記プロファイルの所定区間内の平均値に基づいて、前記高電圧発生器を動的に制御することを特徴とする請求項１４記載のＸ線コンピュータトモグラフィ装置。
【請求項１６】  前記所定区間は、前記Ｘ線管と前記被検体との間に配置されるコリメータのスライス方向開口幅に対応する検出素子列の数に応じたサイズを有することを特徴とする請求項１４記載のＸ線コンピュータトモグラフィ装置。
【請求項１７】  前記区間の長さを入力するための入力器をさらに備えることを特徴とする請求項１５記載のＸ線コンピュータトモグラフィ装置。
【請求項１８】  前記区間の長さは、ユーザインストラクションに従って前記複数のＸ線検出素子列から前記画像の再構成のために選択された２以上のＸ線検出素子列の数に基づいて決定されることを特徴とする請求項１５記載のＸ線コンピュータトモグラフィ装置。
【請求項１９】  被検体に照射するためのＸ線を発生するＸ線管と、
前記Ｘ線管に印加するための高電圧を発生する高電圧発生器と、
前記被検体を透過したＸ線を検出するために複数のＸ線検出素子列を有するＸ線検出器と、
前記Ｘ線管及びＸ線検出器に対して前記被検体を相対的に移動する移動機構と、
ユーザインストラクションに従って前記複数のＸ線検出素子列から選択された２以上の検出素子列の出力に基づいて、画像を再構成する再構成部と、
前記選択された２以上の検出素子列の一部又は全ての列の出力に基づいて、前記被検体の相対的な移動とともに動的に、前記Ｘ線管の管電流値を制御する制御部とを具備することを特徴とするＸ線コンピュータトモグラフィ装置。
【請求項２０】  前記制御部は、前記選択された２以上の検出素子列の先頭の少なくとも１列の出力に基づいて前記Ｘ線管の管電流値を制御することを特徴とする請求項１９記載のＸ線コンピュータトモグラフィ装置。
【請求項２１】  前記制御部は、前記選択された２以上の検出素子列の一部又は全ての列の出力の平均値に基づいて、前記Ｘ線管の管電流値を決定することを特徴とする請求項１９記載のＸ線コンピュータトモグラフィ装置。
【請求項２２】  前記制御部は、前記選択された２以上のＸ線検出素子列の一部又は全ての列の出力の最大値又は最小値に基づいて、前記Ｘ線管の管電流値を制御することを特徴とする請求項１９記載のＸ線コンピュータトモグラフィ装置。
【請求項２３】  被検体に照射するためのＸ線を発生するＸ線源と、
前記被検体を透過したＸ線を検出するためのＸ線検出素子列を前記被検体の体軸方向に複数個有するＸ線検出器と、
前記Ｘ線源と前記Ｘ線検出器を用いて、前記被検体のスキャノ撮影を行わせるスキャノ制御部と、
前記スキャノ撮影により得られたＸ線データに基づいてスキャノ像を生成するスキャノグラム生成部と、
前記スキャノグラムを表示する表示部と、
前記表示部を用いて、撮影スライス厚及び撮影スライス数を設定する設定部と、
前記撮影スライス厚及び前記撮影スライス数で同時にスキャンされるスキャン範囲に対応する、スキャノ撮影により得られたＸ線データ又はこれから得られる指標に基づいて、スキャン時の管電流値を決定する管電流値決定部と、
前記管電値決定部により決定された管電流値で前記スキャン範囲をスキャンさせるスキャン制御部と、
を具備することを特徴とするＸ線コンピュータトモグラフィ装置。
【請求項２４】  被検体に照射するためのＸ線を発生するＸ線源と、
前記Ｘ線管と前記被検体との間に配置され、前記Ｘ線を前記被検体の体軸方向にコリメートするコリメータと、
前記被検体を透過したＸ線を検出するための複数のＸ線検出素子列を前記体軸方向に複数個有するＸ線検出器と、
前記Ｘ線源と前記Ｘ線検出器を用いて、前記被検体のスキャノ撮影を行せるスキャノ制御部と、
前記スキャノ撮影により得られたＸ線データに基づいてスキャノ像を生成するスキャノグラム生成部と、
前記スキャノグラムを表示する表示部と、
前記表示部経由で撮影条件を設定する設定部と、
前記撮影条件に従ってスキャン時の前記コリメータの開口幅を決定する開口幅決定部と、
前記開口幅でスキャンされる範囲の前記Ｘ線データに基づいて、前記スキャン時の管電流値を決定する管電流値決定部と、
を具備することを特徴とするＸ線コンピュータトモグラフィ装置。
【請求項２５】  被検体のスキャノ撮影を行うステップと、
前記スキャノ撮影より得られたＸ線データに基づいて、スキャノグラムを生成するステップと、
前記生成されたスキャノグラムを表示するステップと、
前記スキャノグラムを利用して、撮影スライス数及び撮影スライス厚を設定するステップと、
前記撮影スライス数及び前記撮影スライス数でほぼ同時にスキャンされるスキャン範囲分の前記Ｘ線データに基づいて、スキャン時の管電流値を決定するステップと、
前記決定された管電流値で前記スキャン範囲をスキャンするステップと、
を具備することを特徴とするＸ線コンピュータトモグラフィ方法。
【手続補正２】
【補正対象書類名】明細書
【補正対象項目名】００１３
【補正方法】変更
【補正の内容】
【００１３】
【課題を解決するための手段】
本発明の第１局面によるＸ線コンピュータトモグラフィ装置は、被検体に照射するためのＸ線を発生するＸ線管と、前記Ｘ線管に印加するための高電圧を発生する高電圧発生器と、前記被検体を透過したＸ線を検出するＸ線検出器と、前記Ｘ線検出器の出力に基づいて、スキャノグラムを生成するスキャノグラム生成部と、前記Ｘ線検出器の出力に基づいて、画像を再構成する再構成部と、前記スキャノグラムの２次元部分領域内に含まれる複数画素の画素値に基づいて、前記Ｘ線管の管電流値を決定する管電流決定部と、前記決定された管電流値に基づいて前記高電圧発生器を制御する制御部とを具備する。  
本発明の第２局面によるＸ線コンピュータトモグラフィ装置は、被検体に照射するためのＸ線を発生するＸ線管と、前記Ｘ線管に印加するための高電圧を発生する高電圧発生器と、前記被検体を透過したＸ線を検出するために複数のＸ線検出素子列を有するＸ線検出器と、ユーザインストラクションのスライス厚とスライス数とに従って選択された２以上のＸ線検出素子列からの出力に基づいて、画像データを再構成する再構成部と、前記スライス厚と前記スライス数とに応じた範囲に対応する前記Ｘ線検出器の出力分布、Ｘ線透過率分布又はＸ線減衰率分布に基づいて、前記Ｘ線管の管電流値を決定する管電流決定部と、前記決定された管電流値に基づいて前記高電圧発生器を制御する制御部とを具備する。  
本発明の第３局面によるＸ線コンピュータトモグラフィ装置は、被検体に照射するためのＸ線を発生するＸ線管と、前記Ｘ線管に印加するための高電圧を発生する高電圧発生器と、前記被検体を透過したＸ線を検出するために複数のＸ線検出素子列を有するＸ線検出器と、前記Ｘ線検出器の出力に基づいて、画像を再構成する再構成部と、Ｘ線透過率又は類似する指標に関する前記被検体のスライス方向プロファイルに基づいて前記高電圧発生器を動的に制御する制御部とを具備する。  
本発明の第４局面によるＸ線コンピュータトモグラフィ装置は、被検体に照射するためのＸ線を発生するＸ線管と、前記Ｘ線管に印加するための高電圧を発生する高電圧発生器と、前記被検体を透過したＸ線を検出するために複数のＸ線検出素子列を有するＸ線検出器と、前記Ｘ線管及びＸ線検出器に対して前記被検体を相対的に移動する移動機構と、ユーザインストラクションに従って前記複数のＸ線検出素子列から選択された２以上の検出素子列の出力に基づいて、画像を再構成する再構成部と、前記選択された２以上の検出素子列より先行する少なくとも２のＸ線検出素子列の出力に基づいて、前記被検体の相対的な移動とともに動的に、前記Ｘ線管の管電流値を制御する制御部とを具備する。  
本発明の第５局面によるＸ線コンピュータトモグラフィ装置は、被検体に照射するためのＸ線を発生するＸ線管と、前記Ｘ線管に印加するための高電圧を発生する高電圧発生器と、前記被検体を透過したＸ線を検出するために複数のＸ線検出素子列を有するＸ線検出器と、前記Ｘ線管及びＸ線検出器に対して前記被検体を相対的に移動する移動機構と、ユーザインストラクションに従って前記複数のＸ線検出素子列から選択された２以上の検出素子列の出力に基づいて、画像を再構成する再構成部と、前記選択された２以上の検出素子列の出力に基づいて、前記被検体の相対的な移動とともに動的に、前記Ｘ線管の管電流値を制御する制御部とを具備する。